【事件の表示】
　平成１１年特許願第３１０３６０号「パチンコ遊技機の遊技部品」拒絶査定不服審判事件〔平成１３年　５月１５日出願公開、特開２００１−１２９１７６〕について、次のとおり審決する。
【結　論】
　本件審判の請求は、成り立たない。
【理　由】
第一．手続の経緯
　本願は、平成１１年１０月２９日の出願であって、拒絶理由通知に対応して平成２１年７月１０日に手続補正書が提出され、その後なされた最後の拒絶理由に対応して提出された平成２１年１２月２５日付け手続補正書が却下されるとともに拒絶査定がなされ、当該拒絶査定に対して、平成２２年８月１０日に拒絶査定不服審判が請求されるとともに、手続補正がなされたものである。
　また、当審において、平成２２年１０月１９日付けで審査官による前置報告書の内容を添付して審尋を行い、同年１２月２４日に回答書が提出されている。
　そして、審判合議体において平成２３年５月２５日付けで、平成２２年８月１０日付け手続補正が却下されるとともに、最後の拒絶理由が通知され、これに対して、平成２３年７月２８日付けで手続補正（以下「本件補正」という。）がなされたものである。
　
第二．本件補正についての補正却下の決定
［補正却下の決定の結論］
　平成２３年７月２８日付けの手続補正を却下する。
　
［理由］
１．補正前後の本願発明
　本件補正前後の特許請求の範囲は次のとおりであり、本件補正後の特許請求の範囲に記載された発明のことを、以下「本願補正発明」という。
　
（１）本件補正前の特許請求の範囲（平成２１年７月１０日）
「【請求項１】　遊技盤(J)前面の遊技領域(19)内において始動入賞口(20)の上方に設置され、かつ該遊技盤(J)の裏側に取着された図柄表示装置(M)の前側に位置し、該図柄表示装置(M)の図柄表示部を透視表示する透視窓部(31)を備えたパチンコ遊技機の遊技部品において、
　前記透視窓部(31)の前側下方に形成された球案内部(35)と、
　前記透視窓部(31)の前部上方に設けた球通入部(34)と、
　前記球案内部(35)および球通入部(34)を連通接続し、前記遊技領域(19)内を落下して球通入部(34)へ入った遊技球を球案内部(35)へ通出する遊技球案内通路(40)と、
　前記球案内部(35)の略中央に連設されて、該球案内部(35)から遊技球が通入する球旋回路(42)および該球旋回部(42)の中心に形成されて遊技球の落下を許容する球放出口(43)を備え、該球案内部(35)から球旋回部(42)へ通入した遊技球を、該球旋回路(42)で旋回させた後に球放出口(43)を介して放出落下させ得る球放出部(36)と、
　前記球案内部(35)の前側下方に形成され、遊技領域を落下する遊技球が到来して転がり移動可能な傾斜面と、
　前記傾斜面に前後に延在するよう形成されて前端部が前記始動入賞口(20)の上方に臨むと共に、前記球放出部(36)の球放出口(43)の真下に位置する球案内溝(44)とを備え、
　前記球通入部(34)へ入った遊技球は、前記遊技球案内通路(40)を介して球案内部(35)へ通出され、前記球放出部(36)の球旋回路(42)で旋回された後に前記球放出口(43)を介して前記球案内溝(44)へ落下して、該球案内溝(44)を介して前記始動入賞口(20)側へ放出落下されることを特徴とするパチンコ遊技機の遊技部品。
【請求項２】　前記始動入賞口(20)で入賞検出された入賞球の有効保留数を点灯表示する保留ランプ(46)を、前記遊技球案内部材(40)を通過した遊技球が前記球案内部(35)に通出される球通入口(39)と、前記球放出部(36)との間に全て配設した請求項１記載のパチンコ遊技機の遊技部品。」
　
（２）本件補正後の特許請求の範囲
「【請求項１】　遊技盤前面の遊技領域内において始動入賞口の上方に設置され、かつ該遊技盤の裏側に取着された図柄表示装置の前側に位置し、該図柄表示装置の図柄表示部を透視表示する透視窓部を備えたパチンコ遊技機の遊技部品において、
　前記透視窓部の前側下方に形成され
、該透視窓部に臨む左側壁面に形成された球通入口が開口する
　前記透視窓部の前部上方に設け
られて球通出口を有する
　
前記球通入口と球通入部の球通出口と
球通出口から球通入口へ案内して
　前記球案内部の略中央に連設されて、該球案内部から遊技球が通入する球旋回路および該球旋回路の中心に形成されて遊技球の落下を許容する球放出口を備え、該球案内部から球旋回路へ通入した遊技球を、該球旋回路で旋回させた後に球放出口を介して放出落下させ得る球放出部と、
　前記球案内部の前側下方に形成され、遊技領域を落下する遊技球が到来して転がり移動可能な傾斜面と、
　前記傾斜面に前後に延在するよう形成されて前端部が前記始動入賞口の上方に臨むと共に、前記球放出部の球放出口の真下に位置する球案内溝とを備え、
　前記球通入部へ入った遊技球は、前記遊技球案内通路を介して球案内部へ通出され、前記球放出部の球旋回路で旋回された後に前記球放出口を介して前記球案内溝へ落下して、該球案内溝を介して前記始動入賞口側へ放出落下される
よう構成すると共に、
　前記始動入賞口で入賞検出された入賞球の有効保留数を点灯表示する保留ランプは、前記傾斜面の後端部から立設されて前記球案内部の前端部まで延在する壁面に、該球案内部より下方に位置するよう全て配設されると共に、全ての保留ランプが、前記球放出部よりも、前記球通入口が形成された左側壁面側に位置するよう構成される
ことを特徴とするパチンコ遊技機の遊技部品。」
（下線部は補正によって追加又は変更された箇所、ただし、括弧書きによる図番の有無は除外した。）
　
２．補正要件（目的）の検討
　本件補正は、本件補正前の請求項２を削除し、同請求項１に同請求項２の構成を追加するとともに、同請求項１及び２に係る発明の発明特定事項の一部を限定する補正であるから、請求項の削除及び特許請求の範囲の減縮を目的とする補正に相当する。
　したがって、本件補正は、平成１８年法律第５５号による改正前の特許法（以下「改正前特許法」という。）第１７条の２第４項第１号及び第２号に該当する。
　そこで、本件補正後の請求項１に係る発明（以下「本願補正発明」という。）について独立特許要件の判断を行う。
　
３．補正要件（独立特許要件：特許法第２９条第２項）の検討
（１）引用文献に記載されている発明
　本願出願前に国内において頒布された刊行物である特開平９−２７６４８９号公報（以下「引用文献Ａ」という。）には、図面とともに、以下の事項が記載されている。
　
【０００９】図１は、遊技部材の正面および背面を示す説明図、図２は、遊技部材の右側面を示す説明図、図３は、図２におけるＡ−Ａ線断面およびＢ−Ｂ線断面を示す説明図、図４は、遊技部材の斜視説明図、図５は、遊技部材を一部を切り欠いて示す説明図である。遊技部材１は、合成樹脂製等の複数の部品が組み合わされて形成されている。そして、前方から見ると、幅広の略長方形状であり、中央に開口部３７が設けられており、側方から見ると、前方から後方にかけて略３層構造になっている（以下、前方の部分を前層部分ａといい、中央の部分を中層部分ｂといい、後方の部分を後層部分ｃという）。
【００１０】前層部分ａは、横長で若干上向きに凸状の水平部２の上面から入賞部３が上方に突出した形状を有している。入賞部３は、内部が中空状になっており、上側には入賞口４が設けられており、両サイドには、それぞれ、飛込口５，５が設けられている。なお、入賞部３の内部において、２つの飛込口５，５は連通しているが、入賞口４は、それらの飛込口５，５とは連通していない。また、入賞部３内部の水平部２上面の略中央には、導球部６が浅い球面状に刻設されている（図５参照）。さらに、水平部２前面の略中央には表示窓７が穿設されており、その内部には小型表示装置８が内蔵されている。
【００１１】一方、中層部分ｂは、上側および両サイドに第１中空路９が形成されている。第１中空路９は、上側の部分が前層部分ａの輪郭と略合致しており、中央から両端にかけて下向きに傾斜している。そして、第１中空路９の中央下側の壁面は、屋根形状の第１振分部１０になっており、その屋根の稜線は導球部６の中心線と一致している。
【００１２】また、中層部分ｂの第１中空路９の両サイドの下端縁同士は、平板状の第１ステージ１１によって繋がれた状態になっている（以下、第１中空路９と第１ステージ１１とを合わせて第１通路という）。第１ステージ１１は、中央部分が僅かに低く形成されており、最も低い位置が浅く球面状に刻設されて第１排出部１２になっている。さらに、第１ステージ１１の前端縁には、第１ガード１３が垂設されており、その第１ガード１３の中央部分（すなわち、第１排出部１２の前方）には、第１排出口１４が緩い曲率半径の円弧状に刻設されている。なお、中層部分ｂの最上部には、第１案内体１５が設けられており、中層部分ｂの前面上方に穿設された通過孔３８を介して、前層部分ａの入賞部３の入賞口４と連通した状態になっている。加えて、中層部分ｂの前面の上方および下方には、それぞれ２つずつ取付板１６，１６・・が延設されており、それらの取付板１６，１６・・には、それぞれネジ挿通孔１７が穿設されている。
【００１３】後層部分ｃも中層部分ｂと同様に、上側および両サイドに第２中空路１８が形成されており、上側の部分は、中央から両端にかけて下向きに傾斜している。そして、第２中空路１８の中央下側の壁面は、屋根形状を有する第２振分部１９になっており、その屋根の稜線は、導球部６の中心線および第１振分部１０の稜線と一致している。
【００１４】後層部分ｃの第２中空路１８の両サイドの下端縁同士は、平板状の第２ステージ２０によって繋がれた状態になっている（以下、第２中空路１８と第２ステージ２０とを合わせて第２通路という）。第２ステージ２０は、第１ステージ１１と同様に、中央が僅かに低くなっており、最も低い位置が浅く球面状に刻設されて第２排出部２１になっている。その第２排出部２１は、遊技球略１個程度の幅に形成されており、第１排出部１２の幅よりも狭くなっている。さらに、第２ステージ２０の前端縁には、第２ガード２２が垂設されており、その第２ガード２２の中央部分（すなわち、第２排出部２１の前方）には、第２排出部２１の幅よりも僅かに狭幅な第２排出口２３が設けられている。なお、第２ステージ２０の方が第１ステージ１１よりも高くなっており、第１排出口１４の中心線の位置は、第２排出口２３の中心線の位置と一致している。また、後層部分ｃの最上部にも、第２案内体２４が設けられており、前層部分ａの入賞部３の入賞口４および中層部分ｂの第１案内体１５と連通した状態になっている。
【００１５】遊技部材１が設置されたパチンコ機の一例を図６に示す。パチンコ機３４の中央上部には、略円形を有する遊技領域２５が設けられており、その遊技領域２５の略中央には、遊技部材１が設置されている。なお、パチンコ機３４は、遊技領域２５の下方に突設された発射ハンドル３５を回動操作することによって、上皿３６内の遊技球を遊技領域２５に打ち込むことができるようになっている。
【００１６】遊技部材１は、取付板１６，１６・・の裏面を遊技盤面に当接させた状態でネジ孔１７，１７・・の部分が螺着されることによって、遊技領域２５に設置されている。また、遊技部材１の中央の開口部３７には、液晶画面からなる特別図柄表示部２６が設置されており、遊技部材１の第１排出口１４の下方には、図柄始動口である普通電動役物２７が設置されている。さらに、普通電動役物２７の下側には、大入賞口２８が設けられており、その大入賞口２８の下側には、普通図柄表示部２９が設けられている。一方、遊技部材１の両サイドには、普通図柄始動ゲート３０，３０が設けられている。
【００１８】一方、中層部分ｂの第１振分部１０上へ導かれた遊技球が、第１振分部１０の屋根の稜線付近を転動し、後層部分ｃの前面に穿設された第２通過口３２を通って後層部分ｃの第２振分部１９上へ導かれる場合もある（なお、パチンコ機３４は、導球部６上の遊技球を第１中空路９の左右何れかのサイドに振り分ける確率の方が、第２振分部１９上へ導く確率よりも大きくなるように設計されている）。第２振分部１９上へ導かれた遊技球は、第２中空路１８の左右何れかのサイドに振り分けられる。第２振分部１９は、第１振分部１０と同様に屋根形状をしているとともに、その屋根の稜線が第１振分部１０の屋根の稜線と一致しているので、第２振分部１９上まで導かれた遊技球は、第２中空路１８の左サイドおよび右サイドに略同じ確率で振り分けられる。そして、第２中空路１８の左右何れかのサイドに振り分けられた遊技球は、第２中空路１８内を通って、第２ステージ２０へと現出し、第２ステージ２０上を左右に揺動した後、第２排出部２１から第２排出口２３を通って下側に位置した第１排出部１２へと流下する。しかる後、第１排出口１４を通って遊技部材１の外部へと排出される。
【００１９】第１排出部１２から排出された遊技球は、第１排出部１２の下側に設置された特別図柄始動口３３に向かって流下し、その内の一部が、特別図柄始動口３３の上方に立設された障害釘の間を通過して、特別図柄始動口３３に入賞する。なお、第１排出部１２は幅広で浅い球面状に形成されているため、第１ステージ１１上を揺動した後に第１排出部１２から排出された遊技球は、さほど高い確率で特別図柄始動口３３に入賞しない。しかしながら、第２排出部２１および第２排出口２３は、遊技球略１個分の幅に形成されており、第２排出口２３を通過した遊技球は、第１排出部１２上の略中心を通過して排出されるため、きわめて高い確率で特別図柄始動口３３に入賞する。また、遊技部材１内を通過しなかった遊技球も、低い確率ではあるが特別図柄始動口３３に入賞する。
　
　摘記した上記の記載等から、引用文献Ａには、
「　取付板１６の裏面を遊技盤面に当接させた状態で遊技領域２５に設置され、中央の開口部３７には特別図柄表示部２６が設置されており、第１排出口１４の下方には図柄始動口である普通電動役物２７が設置されているパチンコ機３４の遊技部材１において、
　該遊技部材１は、前方から見ると幅広の略長方形状であり中央に前記開口部３７が設けられ、側方から見ると前層部分ａ、中層部分ｂ及び後層部分ｃの３層構造になっており、
　前記前層部分ａは、内部が中空状で上側に入賞口４が設けられている入賞部３を有し、
　前記中層部分ｂには上側および両サイドに第１中空路９が形成され、該第１中空路９の両サイドの下端縁同士は平板状の第１ステージ１１によって繋がれた状態になっており、
　前記後層部分ｃには上側および両サイドに第２中空路１８が形成され、該第２中空路１８の両サイドの下端縁同士は平板状の第２ステージ２０によって繋がれた状態になっており、
　前記第２ステージ２０は、中央が僅かに低くなっており、最も低い位置が浅く球面状に刻設されて第２排出部２１になっており、その第２排出部２１は遊技球略１個程度の幅に形成され、さらに、前記第２ステージ２０の前端縁には、第２ガード２２が垂設されており、その第２ガード２２の中央部分には、前記第２排出部２１の幅よりも僅かに狭幅な第２排出口２３が設けられ、
　前記第２ステージ２０の方が前記第１ステージ１１よりも高くなっており、
　前記第１ステージ１１は、中央部分が僅かに低く形成されており、最も低い位置が浅く球面状に刻設されて第１排出部１２になっているとともに、前記第１ステージ１１の前端縁には、第１ガード１３が垂設されており、その第１ガード１３の中央部分には、前記第１排出口１４が緩い曲率半径の円弧状に刻設され、
　前記入賞部３から第２振分部１９上へ導かれた遊技球は、前記第２中空路１８の左右何れかのサイドに振り分けられ、前記第２中空路１８内を通って前記第２ステージ２０へと現出し、前記第２ステージ２０上を左右に揺動した後、前記第２排出部２１から前記第２排出口２３を通って下側に位置した前記第１排出部１２へと流下し、前記第１排出口１４を通って排出され、その下側に設置された特別図柄始動口３３に向かって流下するパチンコ機３４の遊技部材１。」
の発明（以下「引用発明Ａ」という。）が記載されていると認められる。
　
（２）本願補正発明と引用発明Ａとの対比
　本願補正発明と引用発明Ａとを比較する。
　引用発明Ａの「遊技部材１」は、本願補正発明の「遊技部品」に相当し、以下同様に、
「遊技領域２５」は「遊技領域」に、
「特別図柄表示部２６」は「図柄表示装置」に、
「図柄始動口である普通電動役物２７」及び「特別図柄始動口３３」は「始動入賞口」に、
「中央の開口部３７」は「図柄表示装置の図柄表示部を透視表示する透視窓部」に、
「パチンコ機３４」は「パチンコ遊技機」に、
「第２ステージ２０」は「球案内部」に、
「入賞部３」は「球通入部」に、
「第１ステージ１１」は「遊技領域を落下する遊技球が到来して転がり移動可能な傾斜面」に、それぞれ相当する。
　さらに、引用文献Ａの記載や図面等からみて、以下のことが言える。
　
ａ．引用発明Ａの「遊技領域２５」が遊技盤前面にあることは明らかであり、引用発明Ａの「第１排出口１４」は「遊技部材１」の下部中央にあることが図５から見てとれ、その第１排出口１４の下方に図柄始動口である普通電動役物２７が設置されているのであるから、引用発明Ａの「遊技部材１」は普通電動役物２７の上方に設置されたものといえる。
　また、引用発明Ａの「特別図柄表示部２６」は遊技盤面の裏側に位置していることが自明であるから、引用発明Ａの「遊技部材１」は遊技盤面の裏側に取着された特別図柄表示部２６の前側に位置しているといえる。
　そうしてみると、引用発明Ａの「パチンコ機３４の遊技部材１」は、本願補正発明の「遊技盤前面の遊技領域内において始動入賞口の上方に設置され、かつ該遊技盤の裏側に取着された図柄表示装置の前側に位置し、該図柄表示装置の図柄表示部を透視表示する透視窓部を備えたパチンコ遊技機の遊技部品」に相当するものといえる。
　
ｂ．引用発明Ａの第２ステージ２０は第２中空路１８の両サイドの下端縁同士を繋いでおり、第２中空路１８の両サイドの下端縁は開口部３７の下方にあることが図５から明らかであるから、該第２ステージ２０は開口部３７の前側下方に形成されているものということができる。
　また、第２中空路１８の両サイドの下端縁は第２ステージ２０への遊技球の入口になっているから、開口部３７の両サイドの壁面下方に本願補正発明の「球通入口」に相当するものが開口していることも自明である。
　そうしてみると、引用発明Ａの「第２ステージ２０」は、本願補正発明の「前記透視窓部の前側下方に形成され、該透視窓部に臨む左側壁面に形成された球通入口が開口する球案内部」に相当するものといえる。
　
ｃ．引用発明Ａの前層部分ａが開口部３７の前部上方にあることは図２から明らかであり、その前層部分ａは入賞部３を有しているのであるから、入賞部３は開口部３７の前部上方に設けられたものといえる。
　また、入賞口４に入った遊技球は入賞部３内部を移動して第１中空路９又は第２中空路１８へ導かれるのであるから、入賞部３に本願補正発明の「球通出口」に相当する部分があることも自明である。
　そうしてみると、引用発明Ａの「入賞部３」は、本願補正発明の「前記透視窓部の前部上方に設けられて球通出口を有する球通入部」に相当するものといえる。
　
ｄ．上記ｂ．及びｃ．で述べたことを考え合わせると、引用発明Ａの「第２中空路１８」は、本願補正発明の「前記球通入口と球通入部の球通出口とを連通接続し、前記遊技領域内を落下して球通入部へ入った遊技球を球通出口から球通入口へ案内して球案内部へ通出する遊技球案内通路」に相当するものといえる。
　
ｅ．引用発明Ａの「第２排出部２１」は、第２ステージ２０中央の最も低い位置に浅く球面状に刻設されているから、第２ステージ２０の略中央に連設されているといえる。
　また、引用発明Ａの「第２排出口２３」と本願補正発明の「遊技球の落下を許容する球放出口」は、“遊技球の落下を許容する球出口”である点で共通し、引用発明Ａにおいて「第２排出口２３を通って流下」することと、本願補正発明において「球放出口を介して放出落下させ得る」ことは、“球出口を介して放出落下させ得る”ことである点で共通するから、引用発明Ａの「第２排出部２１」及び「第２排出口２３」からなる部分と、本願補正発明の「球放出部」は、“前記球案内部の略中央に連設されて、遊技球の落下を許容する球出口を備え、遊技球を、球出口を介して放出落下させ得る球出口部”である点で共通している。
　
ｆ．引用発明Ａの第２ステージ２０は第１ステージ１１よりも高くなっており、第２ステージ２０上を左右に揺動した遊技球は、第２排出口２３を通って下側に位置し、第１ステージ１１の中央部分に刻設されている第１排出部１２へと流下することから、引用発明Ａの「第１ステージ１１」は第２ステージ２０の前側下方に形成されているものといえる。
　そうすると、引用発明Ａの「第１ステージ１１」は、本願補正発明の「前記球案内部の前側下方に形成され、遊技領域を落下する遊技球が到来して転がり移動可能な傾斜面」に相当するものといえる。
　
ｇ．引用発明Ａの第１排出部１２は、第１ステージ１１の中央部分の最も低い位置が浅く球面状に刻設されており、図４からみて第１ステージ１１の前後方向に溝状となっているものと認められる。
　また、前記第１排出部１２の前端部にあたる部分が第１排出口１４となっており、その下側に特別図柄始動口３３が設置されているのであるから、第１排出口１４は特別図柄始動口３３の上方に望むものといえる。
　さらに、第２ステージ２０へと現出した遊技球が、第２排出口２３を通って下側に位置した第１排出部１２へと流下すること及び上記ｅ．及びｆ．で述べたことを考え合わせると、引用発明Ａの「第１排出部１２」と本願補正発明の「球案内溝」は、“前記傾斜面に前後に延在するよう形成されて前端部が前記始動入賞口の上方に臨むと共に、前記球出口部の球出口の下側に位置する溝”である点で共通している。
　
ｈ．引用発明Ａにおいて「特別図柄始動口３３に向かって流下する」ことは、本願補正発明において「始動入賞口側へ放出落下される」ことに相当するから、上記ｂ．〜ｇ．で述べたことを考慮すれば、引用発明Ａと本願補正発明は、“前記球通入部へ入った遊技球は、前記遊技球案内通路を介して球案内部へ通出され、前記球出口を介して前記球案内溝へ落下して、該球案内溝を介して前記始動入賞口側へ放出落下されるよう構成”されている点で共通している。
　
　以上を総合すると、両者は、
「　遊技盤前面の遊技領域内において始動入賞口の上方に設置され、かつ該遊技盤の裏側に取着された図柄表示装置の前側に位置し、該図柄表示装置の図柄表示部を透視表示する透視窓部を備えたパチンコ遊技機の遊技部品において、
　前記透視窓部の前側下方に形成され、該透視窓部に臨む左側壁面に形成された球通入口が開口する球案内部と、
　前記透視窓部の前部上方に設けられて球通出口を有する球通入部と、
　前記球通入口と球通入部の球通出口とを連通接続し、前記遊技領域内を落下して球通入部へ入った遊技球を球通出口から球通入口へ案内して球案内部へ通出する遊技球案内通路と、
　前記球案内部の略中央に連設されて、遊技球の落下を許容する球出口を備え、遊技球を、球出口を介して放出落下させ得る球出口部と、
　前記球案内部の前側下方に形成され、遊技領域を落下する遊技球が到来して転がり移動可能な傾斜面と、
　前記傾斜面に前後に延在するよう形成されて前端部が前記始動入賞口の上方に臨むと共に、前記球出口部の球出口の下側に位置する溝とを備え、
　前記球通入部へ入った遊技球は、前記遊技球案内通路を介して球案内部へ通出され、前記球出口を介して前記溝へ落下して、該溝を介して前記始動入賞口側へ放出落下されるよう構成されるパチンコ遊技機の遊技部品。」
の点で一致し、以下の点で相違している。
　
［相違点１］本願補正発明の「球放出部」は「球案内部から遊技球が通入する球旋回路」を備えているのに対し、引用発明Ａの「第２排出部２１」及び「第２排出口２３」からなる部分は「球旋回路」を備えておらず、本願補正発明の「球放出口」は、「球旋回路の中心に形成されて」いるのに対し、引用発明Ａの「第２排出口２３」は、第２ガード２２の中央部分に設けられているものであって球旋回路の中心に形成されたものではない点。
　
［相違点２］本願補正発明の「球案内溝」は、「球放出口の真下に位置する」のに対し、引用発明Ａの「第１排出部１２」は、第２排出口２３の下側に位置するものの真下に位置するものではない点。
　
［相違点３］本願補正発明は「前記始動入賞口で入賞検出された入賞球の有効保留数を点灯表示する保留ランプは、前記傾斜面の後端部から立設されて前記球案内部の前端部まで延在する壁面に、該球案内部より下方に位置するよう全て配設されると共に、全ての保留ランプが、前記球放出部よりも、前記球通入口が形成された左側壁面側に位置するよう構成される」のに対し、引用発明Ａは、特別図柄始動口３３又は普通電動役物２７で入賞検出された入賞球の保留に関する構成が明らかでない点。
　
（３）相違点の判断
［相違点１及び２について］
　相違点１及び２は、密接に関連しているので、合わせて検討する。
　特開平６−３２７８２２号公報（以下「引用文献Ｂ」という。）の段落【００１０】には、「パチンコ遊技機の遊技盤１２に設けられる補助遊技装置１４であって、誘導路４６、案内路４８、案内板５０、突起５２、選別入賞領域５４、一般入賞領域５６などによって構成され、第１の入賞領域１８に入った遊技球Ａが、誘導路４６あるいは案内路４８に案内されて案内板５０上に導かれ、そこで突起５２に当ってランダムに方向を変えながら転動することにより、選別入賞領域５４あるいは一般入賞領域５６の何れかに振り分けられて入る補助遊技装置１４」（以下「引用発明Ｂ」という。）が記載されており、その補助遊技装置１４を示す図３によれば、引用発明Ｂの「案内路４８」は、球通路と中央に球落下孔を有する球旋回部（従来周知のクルーン）よりなるものと認められ、その球落下孔の真下は案内板５０上の選別入賞領域５４付近であることが見てとれる。
　なお、従来周知のクルーンについては、例えば、特開平７−１２４３０４号公報（特に、図３、４及び段落【００１８】）、特開平４−３１７６７８号公報（特に、図１５及び段落【００５７】）及び特開平５−１６１７４３号公報（特に、図６、７及び段落【００２０】）を参照。
　そして、引用発明Ａ、Ｂともに、パチンコ遊技機の遊技盤に設けられる遊技用の部材である点で共通しているから、引用発明Ａに引用発明Ｂを適用し、引用発明Ａの第２ステージ２０における「第２排出部２１」及び「第２排出口２３」からなる部分の構成を、引用発明Ｂの「中央に球落下孔を有する球旋回部」に代えるとともに、球落下孔の真下を引用発明Ａの「第１排出部１２」として、上記相違点１及び２に係る本願補正発明のような構成とすることは、パチンコ遊技機の分野における通常の知識を有する者（以下「当業者」という。）が容易に想到し得る。
　
［相違点３について］
　図柄表示装置の近傍に遊技球が転動する領域を設けた遊技用の部材において、図柄表示装置付近に始動入賞口で入賞検出された入賞球の有効保留数を点灯表示する保留ランプを設けることは、例えば、特開平５−１６１７４３号公報（特に、図６、８及び段落【００２２】【００８０】）、特開平１０−２７７２２１号公報（特に、段落【００３２】及び図６、７）及び実願平１−２４９００号（実開平２−１１６４８７号）のマイクロフィルム（特に、明細書１３頁１０〜１５行及び第２、３図）に記載されるように、パチンコ遊技機の分野において従来周知の技術（以下「周知技術」という。）であり、保留ランプの設置箇所は当業者が適宜選択し得る事項であるから、引用発明Ａの第１ステージ１１と第２ステージ２０との間の壁面左側に、始動入賞口で入賞検出された入賞球の有効保留数を点灯表示する保留ランプを配置して、上記相違点３に係る本願補正発明のような構成とすることは、当業者が容易に想到し得る。
　請求人は平成２３年７月２８日付けの意見書において、「始動入賞口で入賞検出した入賞球の有効検出を点灯表示する保留ランプを、遊技領域から遊技球が到来して転がり移動可能な傾斜面の後端部から立設されて球案内部の前端部まで延在する壁面に、該球案内部より下方に位置するよう全て配設すると共に、全ての保留ランプが、球放出部よりも、遊技球案内通路を通過した遊技球が球案内部に通出される球通入口を形成した壁面側に位置するよう構成」する点について、引用文献Ａ〜Ｇは何ら披瀝も示唆もするものではなく、この構成によって、「球放出部から放出落下する遊技球の始動入賞口に対する入賞態様を目視しながら、殆ど視線移動をすることなく保留ランプの点灯状況を確認できる」という本願補正発明特有の効果が得られる旨主張している。
　確かに、引用文献Ａ〜Ｇは本願補正発明の上記保留ランプの構成と同一の構成を開示するものではないが、遊技者にとって関心が高い装置から視線をずらすことなく計数表示を容易に視認することができるようにすることは、特開平７−３２３１１９号公報（前置報告書で提示された文献８、特に段落【０００７】）や特開昭６２−４７３８１号公報（特に、第３頁右上欄第１０〜１９行）に記載されるように、当業者に従来良く知られている課題であるから、引用発明Ａに周知技術を適用する際に、遊技中の遊技者にとって関心が高い装置である、特別図柄表示部２６、第２ステージ２０、第２排出口２３及び第１ステージ１１のいずれからも近い箇所である第１ステージ１１と第２ステージ２０との間の壁面左側に保留ランプを配置することは、当業者にとって格別困難なことではない。
　また、上記特開平５−１６１７４３号公報の図６及び段落【００２２】からは、クルーンの下方に入賞個数記憶ランプ４５を配置することも見てとれる。
　
（４）まとめ
　以上のように相違点１〜３は、いずれも当業者が容易に想到し得るものであり、本願補正発明の作用効果も、引用発明Ａ、引用発明Ｂ及び周知技術に基づいて、当業者が予測できる範囲のものである。
　よって、本願補正発明は、引用発明Ａ、引用発明Ｂ及び周知技術に基づいて、当業者が容易に発明をすることができたものであるから、特許法第２９条第２項の規定により特許出願の際独立して特許を受けることができないものである。
　
４．むすび
　したがって、本件補正は、改正前特許法第１７条の２第５項において準用する同法第１２６条第５項の規定に違反するので、同法第１５９条第１項において読み替えて準用する同法第５３条第１項の規定により却下されるべきものである。
　
第三．本願発明について
１．本願発明
　平成２３年７月２８日付けの手続補正は上記のとおり却下されたので、本願の請求項１及び２に係る発明（以下、請求項１に係る発明を「本願発明１」、請求項２に係る発明を「本願発明２」という。）は、平成２１年７月１０日付け手続補正書の特許請求の範囲の請求項１及び２に記載された事項により特定されるとおりのものであり、その内容は、上記第二．１．（１）に記載したとおりである。
　
２．特許法第２９条第２項の検討
（１）引用文献記載事項
　審判合議体が通知した拒絶理由における引用文献Ａ及びその記載事項は、上記「第二．３．（１）」に記載したとおりである。
　
（２）本願発明１及び２と引用発明Ａとの対比及び判断
　本願発明１及び２は、上記「第二．」で検討した本願補正発明から、保留ランプに関する事項を削除するとともに、本願補正発明を特定するために必要な事項である構成についての限定事項の一部を省いたものといえる。
　そうすると、本願発明１及び２の構成要件を全て含み、さらに他の構成要件を付加したものに相当する本願補正発明が、上記「第二．３．（４）」に記載したとおり、引用発明Ａ、引用発明Ｂ及び周知技術に基づいて、当業者が容易に発明をすることができたものであるから、本願発明１及び２も、同様の理由により、引用発明Ａ、引用発明Ｂ及び周知技術に基づいて、当業者が容易に発明をすることができたものである。
　
（３）まとめ
　以上のとおり、本願発明１及び２は、引用発明Ａ、引用発明Ｂ及び周知技術に基づいて、当業者が容易に発明をすることができたものであるから、特許法第２９条第２項の規定により特許を受けることができない。
　
第四．むすび
　本願発明１及び２は、特許法第２９条第２項の規定により特許を受けることができないから、本願は拒絶すべきものである。
　よって、結論のとおり審決する。